(57)【要約】【課題】  均一な噴射を可能にした食器洗浄機用噴射ノズルを提供する。【解決手段】  この食器洗浄機用噴射ノズル１２において、噴射穴３３ａ，３４ａの開口幅Ｗは、ノズル本体３２の根元側を広く、先端側を狭くしたことで、ノズル本体３２の根元側から先端側に向けて高圧で搬送される水流と、噴射力によりノズル自体が回転する際の遠心力の影響とを考慮した均一な噴射を可能にすることが実験により確かめられている。【選択図】  図５
2006296885.tif 000002
【特許請求の範囲】
【請求項１】
洗浄室内に配置されて、ノズル本体に設けられた噴射穴から水を噴射する食器洗浄機用噴射ノズルにおいて、
前記ノズル本体の前記噴射穴の開口幅は、前記ノズル本体の根元側を広く、先端側を狭くしたことを特徴とする食器洗浄機用噴射ノズル。
【請求項２】
前記噴射穴は、クサビ状に形成されていることを特徴とする請求項１記載の食器洗浄機用噴射ノズル。
【請求項３】
前記ノズル本体には、複数の噴射穴が設けられ、前記各噴射穴の長手軸線と前記ノズル本体の長手軸線とのなす配置角度は、同一且つ鋭角であることを特徴とする請求項１又は２記載の食器洗浄機用噴射ノズル。
【発明の詳細な説明】
【技術分野】
【０００１】
本発明は、洗浄室内で食器類に向けて水を噴射する食器洗浄機用噴射ノズルに関するものである。
【背景技術】
【０００２】
従来、このような分野の技術において、食器類を均一に洗浄又は濯ぎするための対策として、３本のノズル本体毎に異なる位置に噴射穴を設ける技術が特開２０００−２５４０７９号公報及び特開平６−２３３７３６号公報に開示されている。
【０００３】
【特許文献１】特開２０００−２５４０７９号
【特許文献２】特開平６−２３３７３６号公報
【発明の開示】
【発明が解決しようとする課題】
【０００４】
このような噴射ノズルに一般的に利用されている噴射穴を模式的に図９に示すと、ノズル本体１００に設けられている噴射穴１０１は、この長手軸線Ｐに沿ってノズル本体１００の根元側の幅と先端側の幅とが同一である。また、ノズル本体１００内の水は、根元側から先端側に向けて高圧で搬送されるばかりか、噴射力によりノズル自体が回転する際の遠心力の影響をも受ける。その結果として、噴射穴１０１から噴射される水は、二点鎖線で示すような末広がりの噴射領域Ｓ１，Ｓ２を形成することになる。さらに、図１０に示すように、噴射孔１０１の前側で噴射量が多くなるといった事態も発生する。このように、不均一な噴射が発生する結果として、洗浄ムラや濯ぎムラを引き起こし易くなるので、洗浄時間の短縮を図り難いといった問題点がある。
【０００５】
本発明は、均一な噴射を可能にした食器洗浄機用噴射ノズルを提供することを目的とする。
【課題を解決するための手段】
【０００６】
本発明に係る食器洗浄機用噴射ノズルは、洗浄室内に配置されて、ノズル本体に設けられた噴射穴から水を噴射する食器洗浄機用噴射ノズルにおいて、ノズル本体の噴射穴の開口幅は、ノズル本体の根元側を広く、先端側を狭くしたことを特徴とする。
【０００７】
この食器洗浄機用噴射ノズルにおいて、噴射穴の開口幅は、ノズル本体の根元側を広く、先端側を狭くしたことで、ノズル本体の根元側から先端側に向けて高圧で搬送される水流と、噴射力によりノズル自体が回転する際の遠心力の影響とを考慮した均一な噴射を可能にすることが実験により確かめられている。
【０００８】
また、噴射穴は、クサビ状に形成されていると好適である。このような形状の噴射穴は、均一な噴射を達成させる上で最適であると言える。
【０００９】
また、ノズル本体には、複数の噴射穴が設けられ、各噴射穴の長手軸線とノズル本体の長手軸線とのなす配置角度は、同一且つ鋭角であると好適である。このような構成を採用することで、噴射領域の重なりを可能な限り少なくすることができ、効率の良い均一な噴射が可能となり、洗浄室内の食器類の均一な洗浄又は濯ぎを短時間で達成させることができる。
【発明の効果】
【００１０】
本発明によれば、水の均一な噴射を可能にして、食器類の効率の良い洗浄又は濯ぎを達成させることができる。
【発明を実施するための最良の形態】
【００１１】
以下、図面を参照しつつ本発明に係る食器洗浄機用噴射ノズルの好適な実施形態について詳細に説明する。
【００１２】
図１及び図２に示すように、食器洗浄機１は、ステンレス製の洗浄機本体２を有している。この洗浄機本体２は、洗浄室３が形成された上側部分２ａと、機械室４が形成された下側部分２ｂとに仕切られている。さらに、洗浄機本体２の背面側におけるコーナ部には、上側部分２ａと下側部分２ｂとに渡って上下方向に延びる支柱６が配置され、支柱６，６間には背面パネル５が延在している。
【００１３】
また、洗浄機本体２の上側部分２ａには、洗浄室３の開閉を行うための箱型のドア７が設けられている。このドア７は、左右一対のステンレス製支柱６よりも内側に配置された左右一対のガイドレール（図示せず）により上下方向に案内されると共に、前方において水平方向に延在するハンドル８によって上下動させることができる。このハンドル８の両端には左右一対の回動アーム１０，１０の先端が固定され、各回動アーム１０はドア７の側面７ａに沿って斜めに配置されている。そして、ハンドル８の回動運動に対してドア７を上下運動させる必要があるので、回動アーム１０には、ドア７の側面７ａに沿って配置されたリンク部１６の上端が回動自在に連結され、リンク部１６の下端は、軸ピン１６ａを介してドア７に連結されている。なお、洗浄機本体２の底面の四隅には脚部９が取り付けられており、食器洗浄機１の安定した設置が可能となっている。
【００１４】
上述した洗浄室３内には、跳ね上げ式のラックレール１１が着脱自在に配置されており、このラックレール１１上に、飲食後の食器類が並べられた格子状の食器ラック（図示せず）が載置される。更に、洗浄室３内の上部には、放射状に延びる３本のアームを有する回転自在な上側洗浄ノズル１２と、一直線状に延びる２本のアームを有する回転自在な上側濯ぎノズル１３とが同心的に配置されている。同様に、洗浄室３内の下部には、回転自在な下側洗浄ノズル１４と下側濯ぎノズル１５とが同心的に配置されている。
【００１５】
このような構成を有する洗浄室３の底部には、機械室４内に突出するように洗浄水タンク１７が形成されており、洗浄室３と洗浄水タンク１７との間には、残菜フィルタ１８が着脱自在に配置されている。この洗浄水タンク１７の前面には、洗浄水タンク１７内に吸込口及び吐出口が位置するような洗浄水供給ポンプ（以下「洗浄ポンプ」という）１９が直付けされており、部品点数の減少化と省スペース化とが達成されている。この洗浄ポンプ１９の吐出口には洗浄水流通管２１が接続され、この洗浄水流通管２１は、洗浄タンク１７内及び洗浄室３内を通って、上側洗浄ノズル１２と下側洗浄ノズル１４とに接続されている。
【００１６】
更に、機械室４内には、外部の給湯器（図示せず）から濯ぎ水が供給される濯ぎ水タンク２２が収容されており、この濯ぎ水タンク２２には、吸込管２３を介して濯ぎ水供給ポンプ（以下「濯ぎポンプ」という）２４が接続されている。この濯ぎポンプ２４は、縦置き状態で設置されており、機械室４内のスペースの有効利用が図られている。この濯ぎポンプ２４の吐出口には吐出管２６が接続され、この吐出管２６の端部２６ａは洗浄水タンク１７内に延在している。そして、吐出管２６の端部２６ａには濯ぎ水流通管２７が接続され、この濯ぎ水流通管２７は、洗浄タンク１７内及び洗浄室３内を通って、上側濯ぎノズル１３と下側濯ぎノズル１５とに接続されている。なお、機械室４内には、食器洗浄機１の動作全般を制御するマイクロコンピュータ等が内蔵された電装ボックス（図示せず）等も収容されている。
【００１７】
ここで、前述した食器洗浄機１に適用される上側洗浄ノズル（上側噴射ノズル）１２は、洗浄水流通管２１の先端に回転自在に装着された樹脂製のボス部３０と、ボス部３０から放射状に延在する３本のステンレス製ノズル本体３２とから構成されている。また、ノズル本体３２の清掃や組立てを考慮して、各ノズル本体３２の基端は、ネジ３１（図６参照）によってボス部３０に着脱自在に取り付けられている。
【００１８】
図３，図４に示すように、ノズル本体３２は扁平な円筒状に形成されることで、省スペース化が図られ、洗浄室３を広く使うことができる。このノズル本体３２には、外方に向けて山形に膨出した２個の突出部３３，３４が設けられ、各突出部３３，３４の頂部には噴射穴３３ａ，３４ａが設けられている。従って、突出部３３，３４で残水を集めながら洗浄水を噴射穴３３ａ，３４ａに確実に導くことができので、このことは、残水の切れを良好にすることができる。
【００１９】
図４〜図６に示すように、ノズル本体３２の各噴射穴３３ａ，３４ａの開口幅Ｗは、ノズル本体３２の根元側が広く、先端側が狭くなっている。すなわち、開口幅Ｗは、ノズル本体３２の根元側から先端側にゆくに連れて連続的に狭くなっている。このようにして、噴射穴３３ａ，３４ａは、クサビ状に形成される。また、噴射穴３３ａ，３４ａの根元側及び先端側はＲ形状を有している。また、先端側の噴射穴３３ａと根元側の噴射穴３４ａとは同一形状を有する。なお、前述の「開口幅」は、噴射穴３３ａ，３４ａの長手軸線Ｐに対して直交する方向の幅をいう。
【００２０】
このような形状の噴射穴３３ａ，３４ａを採用することで、図６及び図７に示すように、ノズル本体３２の根元側から先端側に向けて高圧で搬送される水流と、噴射力によりノズル１２自体が回転する際の遠心力の影響と、を考慮した均一な噴射が実現できた。
【００２１】
さらに、図７に示すように、各噴射穴３３ａ，３４ａの長手軸線Ｐとノズル本体３２の長手軸線Ｌとがなす配置角度αは、同一且つ鋭角である。このような構成を採用することで、噴射領域Ｓ１と噴射領域Ｓ２との重なりを可能な限り少なくすることができ、効率の良い均一な噴射が可能となる。このような均一な噴射は、洗浄室３内の食器類の短時間洗浄を促進させる上で極めて有利である。さらに、ムラのない均一な噴射を可能にした結果、従来のように３本のノズル本体毎に異なる位置に噴射穴を設ける必要がないので、ノズル本体３２の３本全てについて、部品の共通化を図ることができる。
【００２２】
本発明は、前述した実施形態に限定されないことは言うまでもない。例えば、図８に示すように、噴射ノズルの他の例である下側洗浄ノズル１４のステンレス製ノズル本体３６には、噴射領域Ｓ１〜Ｓ５の重なりを可能な限り少なくするようにして５個の噴射穴３７が並設されている。なお、各噴射穴３７は、前述したクサビ形状の噴射穴３３ａ，３４ａと同等である。また、噴射穴３３ａ，３４ａ，３７は、噴射ノズルの他の例である上側濯ぎノズル１３及び下側濯ぎノズル１５に適用してもよい。また、各噴射穴３７の大きさは同一であっても異なるものであってもよい。
【図面の簡単な説明】
【００２３】
【図１】本発明に係る噴射ノズルが適用される食器洗浄機の一実施形態を示す斜視図である。
【図２】図１に示した食器洗浄機の断面図である。
【図３】本発明に係る噴射ノズルのノズル本体を示す斜視図である。
【図４】ノズル本体の底面図である。
【図５】図４のＶ−Ｖ線に沿う断面図である。
【図６】ノズル本体の一部を切り欠いた部分断面図である。
【図７】本発明に係る噴射ノズルによる噴射領域を示す概略図である。
【図８】本発明に係る噴射ノズルの他の実施形態を示す底面図である。
【図９】従来に係る噴射ノズルの噴射領域を示す概略図である。
【図１０】従来に係る噴射ノズルの噴射状態を示す側面図である。
【符号の説明】
【００２４】
１…食器洗浄機、３…洗浄室、１２…上側洗浄ノズル（噴射ノズル）、１３…上側濯ぎノズル（噴射ノズル）、１４…下側洗浄ノズル（噴射ノズル）、１５…下側濯ぎノズル（噴射ノズル）、３２，３６…ノズル本体、３３ａ，３４ａ，３７…噴射穴、Ｌ…ノズル本体の長手軸線、Ｐ…噴射穴の長手軸線、α…配置角度、Ｗ…開口幅。
【図１】
2006296885.tif 000003
【図２】
2006296885.tif 000004
【図３】
2006296885.tif 000005
【図４】
2006296885.tif 000006
【図５】
2006296885.tif 000007
【図６】
2006296885.tif 000008
【図７】
2006296885.tif 000009
【図８】
2006296885.tif 000010
【図９】
2006296885.tif 000011
【図１０】
2006296885.tif 000012